(57)【要約】  【課題】  手作業を不要とし、パチンコ台の傾斜角を自動で調整できると共に、パチンコ島へパチンコ台を確実に取り付けることのできるパチンコ台取り付け装置を提供する。  【解決手段】  パチンコ島の島枠２０にパチンコ台を固定する固定部２と、固定部２に関節７を介して接続されると共に、対向する一対のつめ３、４を備え、一対のつめ３、４によりパチンコ台の台枠２１を挟持する挟持部５と、挟持部５がパチンコ台の台枠２１を挟持する挟着力を調整する挟着力調整部６と、挟着力調整部６へ動力を与える第１動力源９と、関節７を基点として、固定部２と挟持部５が形成する角度を調整する角度調整部８と、角度調整部８へ動力を与える第２動力源１０を備える【選択図】  図３
2007259961.tif 000002
【特許請求の範囲】
【請求項１】
パチンコ島の島枠にパチンコ台を固定する固定部と、
前記固定部に関節を介して接続されると共に、対向する一対のつめを備え、前記一対のつめによりパチンコ台の台枠を挟持する挟持部と、
前記挟持部がパチンコ台の台枠を挟持する挟着力を調整する挟着力調整部と、
前記挟着力調整部へ動力を与える第１動力源と、
前記関節を基点として、前記固定部と前記挟持部が形成する角度を調整する角度調整部と、
前記角度調整部へ動力を与える第２動力源を備えるパチンコ台取り付け装置。
【請求項２】
前記関節は、その一端が前記固定部に接続され、他端が前記挟持部に接続されており、前記固定部との第１接続部と、前記挟持部との第２接続部との相対的な位置関係の変化により、前記固定部と前記挟持部との角度が調整される請求項１記載のパチンコ台取り付け装置。
【請求項３】
前記角度調整部は、前記関節に接続されると共に、前記第２接続部を支点として前記第１接続部の位置を前後させるスライド機構を備える請求項１から２のいずれか記載のパチンコ台取り付け装置。
【請求項４】
前記スライド機構は、前記第２動力源から動力を得て、スライド動作を行う請求項３記載のパチンコ台取り付け装置。
【請求項５】
前記挟着力調整部は、前記一対のつめの一方に対して、該つめの付け根を支点として該つめの先端を押し下げる押し下げ部を備え、前記押し下げ部は、前記第１動力源から動力を得る請求項１から４のいずれか記載のパチンコ台取り付け装置。
【請求項６】
前記第１動力源と第２動力源の少なくとも一方は、ステッピングモータを備える請求項１から５のいずれか記載のパチンコ台取り付け装置。
【請求項７】
前記第１動力源と前記第２動力源に対する操作を制御する制御部を更に備える請求項１から６のいずれか記載のパチンコ台取り付け装置。
【請求項８】
前記挟持部により挟持されたパチンコ台のパチンコ島に対する傾斜角を計測する角度計測部を更に備える請求項１から７のいずれか記載のパチンコ台取り付け装置。
【請求項９】
前記傾斜角を表示する表示部を備える請求項８記載のパチンコ台取り付け装置。
【請求項１０】
前記傾斜角を記憶する記憶部を備え、前記制御部は、パチンコ台のパチンコ島に対する傾斜角に関する理想角度と前記計測角度の間に所定の差分を検出した場合には、前記第２動力源を制御して前記固定部と前記挟持部が形成する角度を調整する請求項８から９のいずれか記載のパチンコ台取り付け装置。
【請求項１１】
前記制御部は、一定時間毎に前記記憶部に記憶されている計測角度を読み出して、前記第２動力源を制御して前記固定部と前記挟持部が形成する角度を調整する請求項１０記載のパチンコ台取り付け装置。
【請求項１２】
前記差分が検出された場合には、警告を発する警告部を更に備える請求項１０記載のパチンコ台取り付け装置。
【請求項１３】
前記制御部は、パチンコ台の外から操作可能である請求項１２記載のパチンコ台取り付け装置。
【請求項１４】
温度、湿度、気圧の少なくとも一つを計測するセンサを更に備え、前記角度調整部は、前記センサの計測結果を受けて前記固定部と前記挟持部が形成する角度を調整する請求項１から１３のいずれか記載のパチンコ台取り付け装置。
【発明の詳細な説明】
【技術分野】
【０００１】
本発明は、パチンコ店に備えられているパチンコ島にパチンコ台を取り付けるパチンコ台取り付け装置に関するものである。
【背景技術】
【０００２】
パチンコ店においては、予め備えられているパチンコ島に、パチンコ台が１台１台取り付けられて遊戯が行われる。近年は、パチンコの遊戯性や娯楽性が高まり、新しい機種が次々と開発されている。このため、通常のパチンコ店において、パチンコ台の入れ替え回数が非常に多くなっている。
【０００３】
従来においては、パチンコ台をパチンコ島に取り付けるには、作業者がパチンコ台の台枠の内側から、パチンコ島に対して釘を打ち付けていた。このとき、パチンコの遊戯では、遊戯者に対する公平性、透明性を確保するため、パチンコ台が床面に対して略垂直に取り付けられる必要がある。このため、作業者は角度測定器などを用いながら慎重に釘うちをする必要があり、作業者には熟練した技能が要求されていた。このため、パチンコ店においてパチンコ台を入れ替えるには、多数の作業者、および多数の時間とコストが必要となる問題があった。
【０００４】
また、従来は、パチンコ台は釘により固定されていたため、パチンコ台の入れ替えの度に釘抜きと釘うちが行われ、パチンコ島への負担が大きい問題もあった。また、木屑など、廃棄物の発生も多く、時間とコストに悪影響を及ぼしていた。
【０００５】
特に、近年パチンコへ台への不正改造なども問題となっており、パチンコ店は、セキュリティ上の問題として、パチンコ台の入れ替え作業のためとはいえ、営業時間外に外部者が入室することを好まない傾向にある。
【０００６】
釘うちでの固定に関わるこれらの欠点を改善するために、パチンコ台の取り付け装置が提案されている（例えば、特許文献１、２、３参照）。
【０００７】
特許文献１は、パチンコ島へ固定する取り付け部と、ねじ止めとフックを備えてパチンコ台を保持しつつ、パチンコ台の傾斜角を変化させることのできる保持部を備えたパチンコ台取り付け装置を開示する。特許文献１に開示されるパチンコ台取り付け装置では、ねじの締め付けにより傾斜角を変化させるベース部材に対して、保持部が移動する構成を有している。このため、ねじの締め付けにより、パチンコ島に取り付けられたパチンコ台の傾斜角が調整され、同時にパチンコ台を保持する保持力も調整される。
【０００８】
しかしながら、従来の技術には次のような問題があった。
【０００９】
角度調整は、ねじの締め付けにより行われるので、釘うちよりは容易であるとはいえ、従来と変わらず手作業を要し、作業時間や作業コストの軽減には不十分であった。
【００１０】
また、ねじの締め付けによる手作業であるため、作業結果のばらつきも多くなりがちで、パチンコ台の角度もばらつきが多くなる問題もあった。
【００１１】
更に、ねじの締め付けにより、パチンコ台の保持強度とパチンコ台の傾斜角の両方を調整するという機構のため、いずれかに無理が生じるという問題もあった。このため、特許文献１に開示されるパチンコ台取り付け装置は、実用として不十分であり、作業時間、作業コストの低減や、取り付け精度と取り付け強度の両立といった面で不十分であった。
【００１２】
また、釘うちほどではないにしても、パチンコ台の傾斜角の調整や、保持強度の調整のためには、手作業でねじを回すなどの作業が必要である。このため、傾斜角や保持強度の調整の度に、パチンコ台を開けて、遊戯面の裏側に取り付けられているパチンコ台取り付け装置に対して作業する必要がある。このような際に、作業者による不正ＲＯＭの取り付けなどのリスクがあり、遊戯の公平性を担保する点でもセキュリティ上の不十分さという問題があった。
【００１３】
特許文献２や特許文献３に開示される技術でも同様の問題を有していた。
【特許文献１】特開平９−１７３６０９号公報
【特許文献２】特開平９−２９４８６５号公報
【特許文献３】特開平１０−１５１９２号公報
【発明の開示】
【発明が解決しようとする課題】
【００１４】
そこで本発明は、手作業を不要とし、パチンコ台の傾斜角を自動で調整できると共に、パチンコ島へパチンコ台を確実に取り付けることのできるパチンコ台取り付け装置を提供することを目的とする。
【課題を解決するための手段】
【００１５】
第１の発明に係るパチンコ台取り付け装置は、パチンコ島の島枠にパチンコ台を固定する固定部と、固定部に関節を介して接続されると共に、対向する一対のつめを備え、一対のつめによりパチンコ台の台枠を挟持する挟持部と、挟持部がパチンコ台の台枠を挟持する挟着力を調整する挟着力調整部と、挟着力調整部へ動力を与える第１動力源と、関節を基点として、固定部と挟持部が形成する角度を調整する角度調整部と、角度調整部へ動力を与える第２動力源を備える。
【００１６】
この構成により、作業者による釘打ちなどの作業が削減され、パチンコ台のパチンコ島への取り付けが容易となる。更に、取り付け後にパチンコ台の傾斜角を手作業無く調整できる。すなわち、パチンコ台の取り付けと、傾斜角の調整を別個に行うことができるので、作業結果の精度が高くなる。特に、傾斜角の調整は動力源を用いて自動で行えるので、手作業の必要が無くなり、作業者によるばらつきや作為を防止できる。
【００１７】
第２の発明に係るパチンコ台取り付け装置では、第１の発明に加えて、関節は、その一端が固定部に接続され、他端が挟持部に接続されており、固定部との第１接続部と、挟持部との第２接続部との相対的な位置関係の変化により、固定部と挟持部との角度が調整される。
【００１８】
この構成により、取り付けられたパチンコ台の傾斜角の調整が、容易に行える。また、２つの接続点の相対的な位置関係のみで固定部と挟持部の形成する角度が調整されるので、角度調整のパラメータが最小限となり、制御が容易であると共に過度な調整による不具合も防止できる。
【００１９】
第３の発明に係るパチンコ台取り付け装置では、第１から第２のいずれかの発明に加えて、角度調整部は、関節に接続されると共に、第２接続部を支点として第１接続部の位置を前後させるスライド機構を備える。
【００２０】
この構成により、簡易な構成で傾斜角を調整できる。
【００２１】
第４の発明に係るパチンコ台取り付け装置では、第３の発明に加えて、スライド機構は、第２動力源から動力を得て、スライド動作を行う。
【００２２】
この構成により、自動で角度調整ができる。
【００２３】
第５の発明に係るパチンコ台取り付け装置では、第１から第４のいずれかの発明に加えて、挟着力調整部は、一対のつめの一方に対して、該つめの付け根を支点として該つめの先端を押し下げる押し下げ部を備え、押し下げ部は、第１動力源から動力を得る。
【００２４】
この構成により、挟持部が台枠を挟持する挟着力の強弱が簡易に調整でき、しかも自動で調整できるので、調整のばらつきも無い。
【００２５】
第６の発明に係るパチンコ台取り付け装置では、第１から第５のいずれかの発明に加えて、第１動力源と第２動力源の少なくとも一方は、ステッピングモータを備える。
【００２６】
この構成により、動力源の動作量の調整が、精密に行える。
【００２７】
第７の発明に係るパチンコ台取り付け装置では、第１から第６のいずれかの発明に加えて、第１動力源と第２動力源に対する操作を制御する制御部を更に備える。
【００２８】
この構成により、第１動力源と第２動力源の動作量を、任意に種々の設定により制御できる。
【００２９】
第８の発明に係るパチンコ台取り付け装置では、第１から第６のいずれかの発明に加えて、挟持部により挟持されたパチンコ台のパチンコ島に対する傾斜角を計測する角度計測部を更に備える。
【００３０】
第９の発明に係るパチンコ台取り付け装置では、第８の発明に加えて、傾斜角を表示する表示部を備える。
【００３１】
これらの構成により、パチンコ台の取り付け後の傾斜角の状態を、容易に把握できる。
【００３２】
第１０の発明に係るパチンコ台取り付け装置では、第８から第９の発明に加えて、傾斜角を記憶する記憶部を備え、制御部は、パチンコ台のパチンコ島に対する傾斜角に関する理想角度と計測角度の間に所定の差分を検出した場合には、第２動力源を制御して固定部と挟持部が形成する角度を調整する。
【００３３】
この構成により、パチンコ台の傾斜角を常に適切に維持できる。また、パチンコ台を開けることなく調整できるので、セキュリティ面が非常に高まる。
【００３４】
第１１の発明に係るパチンコ台取り付け装置では、第１０の発明に加えて、制御部は、一定時間毎に記憶部に記憶されている計測角度を読み出して、第２動力源を制御して固定部と挟持部が形成する角度を調整する。
【００３５】
この構成により、例えば営業時間終了後など、一定時間ごとに、常にパチンコ台の傾斜角が調整され、常に最適な状態が保たれる。
【００３６】
第１２の発明に係るパチンコ台取り付け装置では、第１０の発明に加えて、差分が検出された場合には、警告を発する警告部を更に備える。
【００３７】
この構成により、遊戯の公平性に支障が出る場合が即座に把握される。
【００３８】
第１３の発明に係るパチンコ台取り付け装置では、第１２の発明に加えて、制御部は、パチンコ台の外から操作可能である。
【００３９】
この構成により、制御部の収められている制御ボックスなどに直接触れることなく、制御が可能である。
【００４０】
第１４の発明に係るパチンコ台取り付け装置では、第１から第１３のいずれかの発明に加えて、温度、湿度、気圧の少なくとも一つを計測するセンサを更に備え、角度調整部は、センサの計測結果を受けて固定部と挟持部が形成する角度を調整する。
【００４１】
この構成により、外的要因による傾斜角などへの影響を防止でき、パチンコ台の適切な状態を長期間にわたって維持できる。
【発明の効果】
【００４２】
本発明によれば、パチンコ島へのパチンコ台への取り付けと、パチンコ台の傾斜角の調整を一度に行うことができる。特に、パチンコ台の傾斜角の調整は、動力源からの動力により自動で行うことができるので、手作業での調整よりも正確かつ効率的に行われる。
【００４３】
このとき、パチンコ台のパチンコ島への取り付けにおいて、作業者による釘うちや調整が不要となるので、作業時間や作業コストが低減する。
【００４４】
また、パチンコ店におけるパチンコ台の入れ替え時の作業において、作業者を必要とせず、店員のみで取り付けや調整作業ができるので、パチンコ店に外部の業者を入れる必要がなくなり、セキュリティが向上する。
【００４５】
加えて、パチンコ台の取り付け後においても、パチンコ台を外したり、パチンコ台の前面を開けたりすること無く、外部からパチンコ台の傾斜角の調整やパチンコ台の保持強度の調整が行える。特に、パチンコ台の前面を開けることなく外部から行うことが可能なので、調整作業におけるセキュリティが向上する。
【００４６】
また、理想的な所定傾斜角からのずれを自動で調整することにより、例えば営業時間終了後に傾斜角が調整されるなどして、毎日適正な傾斜角にパチンコ台が調整される。
【００４７】
更に、種々の設定に基づくパチンコ台の傾斜角の制御や取り付け強度の制御が可能となり、パチンコ台の適正な設置状態が長期間にわたって維持できる。
【発明を実施するための最良の形態】
【００４８】
以下、図面を参照しながら、本発明の実施の形態を説明する。
【００４９】
（実施の形態１）
まず、パチンコ台取り付け装置の構造について図１、図２を用いて説明する。
【００５０】
図１は、本発明の実施の形態１におけるパチンコ台取り付け装置の斜視図である。図２は、本発明の実施の形態１におけるパチンコ台取り付け装置の側面図である。
【００５１】
なお、パチンコ店においてパチンコ台を並べる棚台を、本明細書ではパチンコ島といい、パチンコ台は、このパチンコ島に設けられている個々の棚枠にはめ込まれるように取り付けられる。パチンコ島にパチンコ台が取り付けられる場合に、パチンコ島においてパチンコ台が取り付けられる枠を島枠といい、パチンコ台の枠は台枠と呼ぶ。
【００５２】
パチンコ台取り付け装置１は、次の要素を備える。
【００５３】
固定部２は、パチンコ島の島枠にパチンコ台を固定する。挟持部５は、一対のつめ３と４を備え、パチンコ台の台枠を挟持する。なお、パチンコ台取り付け装置１は、関節７を基準に、固定部２を含む固定部材１１と、挟持部５を含む挟持部材１２を備えており、固定部材１１と挟持部材１２は、関節７により接続されている。
【００５４】
関節７は、固定部２と挟持部５を接続する。挟着力調整部６は、挟持部５の台枠を挟持する挟着力を調整する。角度調整部８は、固定部２と挟持部５が形成する角度を調整する。
【００５５】
第１動力源９は、挟着力調整部６へ動力を与え、第２動力源１０は、角度調整部８へ動力を与える。
【００５６】
パチンコ台取り付け装置１は、固定部２により島枠２０に固定され、挟持部５により島枠２０にはめ込まれるパチンコ台の台枠２１が挟持される。結果として、このパチンコ台取り付け装置１によりパチンコ台がパチンコ島へ取り付けられる。しかも、パチンコ台は、挟持部５による挟持だけで取り付けられるので、台枠の内側からの釘打ちなどは不要である。
【００５７】
更に、固定部２と挟持部５は、関節７を介して接続されており、関節７を基点として固定部２と挟持部５との形成する角度が調整される。すなわち、パチンコ台は、パチンコ台取り付け装置１により、釘打ちやねじ止めなどのパチンコ台への負担の大きい取り付けではなく、パチンコ台がパチンコ島へ取り付けられると共に、パチンコ台の傾斜角も容易に調整ができる。
【００５８】
各部の詳細について説明する。
【００５９】
なお、挟持部５は、挟持部材１２の一部を構成しており、挟持部材１２は、関節７を介して固定部材１１と接続されている。なお、挟持部材１２と挟持部５は、特別に区別されるものではなく、説明の便宜上、このように呼ぶ。固定部２と固定部材１１も同様である。
【００６０】
（パチンコ島への固定）
まず、固定部２と、固定部２を介した島枠２０へのパチンコ台取り付け装置１の取り付けについて説明する。
【００６１】
固定部２は、図２に示されるように、パチンコ島の島枠２０に固定される。例えば、固定部２は、島枠１０へねじ止めや接着剤による固着などで、固定される。固定部２は、関節７を介して挟持部５に接続されているので、固定部２によりパチンコ台取り付け装置１が島枠２０に固定されると、パチンコ台取り付け装置１全体が（挟持部材１２を含めて）島枠２０へ固定される。ここで、島枠２０は、パチンコ島（図示せず）に予め設けられているので、パチンコ台取り付け装置１が島枠２０に取り付けられると、パチンコ台取り付け装置１は、パチンコ島へ固定されることになる。
【００６２】
なお、図１、図２では、固定部２は、島枠２０の側面と上面に接する片により固定されているが、側面だけ、上面だけ、あるいは底面だけでもよく、これらが組み合わされて島枠２０に固定されても良い。
【００６３】
また、固定部２は、ねじ孔２ａを備えて、このねじ孔２ａを介して島枠２０にねじ止めされても良い。また、島枠２０の大きさや形状に応じて、固定部２の大きさや形状が定められればよい。固定部２の材質としては、アルミや鉄、合金などの金属が好適であり、強度が確保されれば樹脂でも良い。
【００６４】
固定部２が島枠２０に固定されると、固定部材１１も島枠２０に固定される。このように、固定部２が島枠２０に固定されただけの状態においては、関節７を介して接続される挟持部材１２は、関節７から下にぶら下がっている状態である。すなわち、固定部２を基準として挟持部５の位置が可動できる状態である。
【００６５】
なお、パチンコ台取り付け装置１は、好適にはパチンコ台の上側と下側にそれぞれ取り付けられるが、下側に取り付けられるパチンコ台取り付け装置１は、図  のように固定部材１１と関節７がない挟持部材１２のみで構成されても良い。勿論、同じ構成のパチンコ台取り付け装置１が、パチンコ台の上側と下側の両方に取り付けられてもよい。
【００６６】
（パチンコ台枠の挟持）
次に、挟持部５と、挟持部５により台枠２１への取り付けについて説明する。なお、図３も用いて説明する。図３は、本発明の実施の形態１におけるパチンコ台取り付け装置の側面図である。
【００６７】
挟持部５は、一対のつめ３，４を備え、つめ３とつめ４は、互いに対向する。またつめ３には、歯１５が設けられ、この歯１５は、図３から明らかなように台枠２１に食い込んで、台枠２１の固着強度を増加させる。図３では、歯が２本ずつ２列に形成されているが、歯の個数は適宜決められればよい。
【００６８】
挟持部５に設けられた対向する一対のつめ３と４により形成される幅は、台枠２１の幅に合った大きさを有しており、台枠２１を挟持するのに適している。このため、台枠２１の幅に合わせて、挟持部５のつめ３と４の間隔が決められればよい。
【００６９】
パチンコ台は、その周囲の４辺が板材などによる台枠２１を備えており、挟持部５は、この台枠２１を挟持することで、パチンコ台を取り付ける。
【００７０】
挟持部５は、この一対の対向するつめ３と４による挟着により台枠２１を挟んで固定する。このとき、つめ３と４の挟着力により固定力が定まるので、つめ３と４の締め付けが強くなれば（つめ３と４の間隔が狭まれば）台枠２１を挟持する挟着力が高まる。逆に、つめ３と４の間隔を広げてやれば、台枠２１を挟持する挟着力が弱まり、パチンコ台をパチンコ島から簡単に取り外せる。
【００７１】
すなわち、例えばパチンコ島に予めパチンコ台取り付け装置１を取り付けておき、パチンコ台を入れる時には、挟持部５に台枠２１をはめてパチンコ台を取り付け、パチンコ台を外すときには、挟持部５の挟着力を開放してパチンコ台を取り外せばよく、釘打ちやくぎ抜きなどの余分な手間がない。また、パチンコ島にはパチンコ台取り付け装置１を取り付けたままで、パチンコ台の入れ替えができるので、パチンコ台取り付け装置１は再利用が可能である。このため、パチンコ台の入れ替えの度に、取り付け装置を付け替えるコストも不要である。
【００７２】
取り付け作業においても、パチンコ島への固定にかかわる作業が削減され、パチンコ台の入れ替え時のコストも低減する。
【００７３】
ここで、挟持部５が台枠２１を挟持する際の挟着力を調整する挟着力調整部６について説明する。
【００７４】
図４には、挟着力調整部６の一例が示されている。図５には挟着力調整部６他の例が示されている。
【００７５】
図４、図５は、本発明の実施の形態１におけるパチンコ台取り付け装置１の側面図である。
【００７６】
第１動力源９は、ステッピングモータなどのモータで構成され、電力が供給されると回転動作を生み出す。第１動力源９の回転軸には、ねじ１５が接続されており、ねじ１５には、一対の押し上げ部材１６が接続されている。押し下げ部材１６のそれぞれの一端は、ねじ１５に接続されており、他端はつめ３に接している。また、ねじ１５は、押し下げ部材１６のそれぞれに対して逆ねじになるようなねじ溝を有している。
【００７７】
第１動力源９が回転動作を開始すると、ねじ１５が回転する。ねじ１５が回転すると、ねじ１５に設けられている逆ねじのねじ溝に基づいて、一対の押し下げ部材１６のそれぞれの先端が、図４における下方向に下がる。押し下げ部材１６の先端は、つめ３の内面に接しているので、つめ３へ押し下げ圧力がかかる。ここで、つめ３は、取り付け部１７で挟持部材１２に取り付けられているので、押し下げ部材１６による押し下げ圧力が加わると、取り付け部１７を支点として、つめ３の後ろが下がり、前（台枠２１を挟持する部分）が上がる。
【００７８】
すなわち、図４に示されるように、第１動力源９からの動力を受けて、押し下げ部材１６がつめ３を押し下げることで、取り付け部１７を支点として、つめ３の先端が対向するつめ４に近づく（すなわち、一対のつめ３と４の間隔が狭まる）ので、台枠２１の挟着力が増加する。
【００７９】
第１動力源９の回転方向が逆になると、ねじ１５の回転動作により、押し下げ部材１６は、ねじ１５に近づくように移動し、つめ３への押し下げ圧力が低下して、つめ３と４の間隔が広がる。結果として台枠２１の挟着力が弱まり、更に弱まると台枠２１を開放する。
【００８０】
一方、図５に示される挟着力調整部６が用いられてもよい。
【００８１】
図５に示される挟着力調整部６は、第１動力源９の回転軸に接続されたねじ３０と、ねじ３０に接続された押し下げ部材３１を備えている。押し下げ部材はねじ接続部３２でねじ３０に接続され、つめ押し部３３でつめ３に接続されている。また、つめ３は、図４と同じく取り付け部１７を支点として挟持部材１２に取り付けられている。また、図５に示されるとおり、ねじ接続部３２は、つめ押し部３３よりも、相対的につめ３の先端側に位置している。
【００８２】
第１動力源９がある方向に回転を開始すると、ねじ３０も回転し、ねじ３０の突出長さが増加する。ねじ３０の突出長さが長くなることで、ねじ接続部３２は、つめ３の先端に対してより遠い位置に移動する。すなわち、水平方向で見た場合に、ねじ接続部３２は、つめ押し部３３により近づく。この結果、押し下げ部材３１は、水平軸に対しての角度が大きくなる（押し下げ部材３１は垂直に近づくように立ち上がる）。すなわち、つめ接続部３２とつめ押し部３３との垂直方向での距離が長くなるので、取り付け部１７を支点と考えると、つめ３の先端とつめ４の先端との垂直方向の距離は短くなる。このため、取り付け部１７（つめ３の付け根）を支点としてつめ３の後ろ側は押し下げられ、先端側は上がる。すなわち、つめ３とつめ４との間隔が狭くなり挟着力が増加する。
【００８３】
第１動力源９の回転方向が逆になると、つめ３と４の間隔が広がり、挟着力が弱まる。
【００８４】
このような挟着力調整部６による挟着力の調整により、挟持部５の台枠２１の挟持を調整できる。
【００８５】
以上のように、挟持部５は、パチンコ台の台枠２１を挟持して、固定部２での固定と合わせて、パチンコ台をパチンコ島へ取り付ける。
【００８６】
なお、挟着力調整部６は、第１動力源９から動力を得る。ここで、第１動力源９はステッピングモータなどから構成されるので、ステッピングモータの回転数で、挟着力が一意に定められる。すなわち、第１動力源９の動作量と挟着力との関係が一定の式やテーブルで定まり、精密な調整が、ばらつき無く行える。従来のような手動での調整と異なり、作業者によるばらつきもなく、高い精度で行える。
【００８７】
また、第１動力源９の動作により挟持部５の挟着力が調整できるので、パチンコ台の設置後に、外部から第１動力源９を電気的に動作させるだけで、台枠２１の挟着強度を変化させることができる。このため、パチンコ台取り付け後に、パチンコ台の取り付け強度が弱まった場合でも、パチンコ台を開けることなく、事後的な調整が容易である。勿論、パチンコ台を開ける必要が無いので、セキュリティも高まる。
【００８８】
（パチンコ台の傾斜角の調整）
次に、角度調整部８について説明する。
【００８９】
図７、図８は、本発明の実施の形態１におけるパチンコ台取り付け装置１の側面図である。角度調整部８は、ねじ４０とスライド機構４３からなる。
【００９０】
第２動力源１０は、ステッピングモータなどで構成され、回転軸にねじ４０が接続されている。ねじ４０は固定部材１１の内部に設けられている。
【００９１】
関節７は、ねじ４０と第１接続部４１で接続されており（すなわち固定部２と接続されている）、挟持部材１２と第２接続部で接続されている（すなわち挟持部５と第２接続部で接続されている）。スライド機構４３は、関節７を基点に固定部２と挟持部５を前後に移動させる。より詳細には、スライド機構４３は、第２接続部を基点として第１接続部の相対的な位置を前後にスライドさせる。ここで、前後とは、図７，８における左右であり、パチンコ台取り付け装置１をパチンコ台に取り付けたときに、遊戯者よりみたパチンコ台の正面を基準とした前後である。
【００９２】
第２動力源１０がある方向に回転すると、ねじ４０の突出長さが増加する。関節７は、第１接続部４１においてねじ４０に接続されているので、第１接続部４１の位置は、第２接続部４２の位置に対して相対的に後ろにずれる（ここで後ろとは、固定部２と反対の方向）。すなわち、第１接続部４１と第２接続部４２との相対的な位置関係が変化する。すなわち、ねじ４０の突出量の増加により第１接続部４１が、第２接続部４２に対して後ろにずれることで、固定部２が挟持部５よりも後ろに下がる、すなわち挟持部５が固定部２よりも前に出る。このような状態では図８に示されるように、固定部２と挟持部５とが形成する角度が開く。
【００９３】
一方、第２動力源１０の回転方向が逆になると、ねじ４０の突出量が減少する。ねじ４０に接続されている第１接続部４１の位置が、第２接続部４２を基準として相対的に前に移動する。すなわち、挟持部５は、固定部２に対して後ろに移動する。この場合には、固定部２と挟持部５の形成する角度が小さくなる。
【００９４】
このような相対的な位置関係の変化により、固定部２と挟持部５の形成する角度が調整され、挟持部５が固定部２に対して前後にスライド動作する。
【００９５】
パチンコ台取り付け装置１が、実際にパチンコ台に取り付けられると、このスライド動作により、図９に示されるとおり、パチンコ台が前後に動く。この前後の動きにより、パチンコ台の傾斜角が調整され、パチンコ台の傾斜角が適正に調整される。
【００９６】
なお、挟着力調整部６と同じく、角度調整部８は、第２動力源１０よりその動力を得る。第２動力源１０は、ステッピングモータなどが用いられるので、ねじ４０の突出量の調整は、ステッピングモータの回転数により一意に決められる。このため、スライド機構４３による挟持部５の前後移動距離は、ステッピングモータの回転数により正確に決めることができる。
【００９７】
言い換えると、パチンコ台取り付け装置１がパチンコ台に取り付けられた場合のパチンコ台の傾斜角の大きさは、このステッピングモータの回転数により正確に決めることもできる。このため、パチンコ台の所望の傾斜角の調整は、ステッピングモータの回転数の決定により実現できる。このため、従来のパチンコ台取り付け装置１のように、手動で傾斜角を調整する必要が無いので、傾斜角の調整は非常に正確に行われる。また、手間も削減され、調整する作業者による調整のばらつきもなくなる。
【００９８】
以上が、パチンコ台取り付け装置１の各構成要件の詳細である。
【００９９】
（パチンコ台の取り付けと傾斜角の調整）
次に、パチンコ台取り付け装置１が取り付けられた状態とその動作について図９〜図１１を用いて説明する。
【０１００】
図９は、本発明の実施の形態１におけるパチンコ台の側面図であり、図１０は、本発明の実施の形態１におけるパチンコ台の正面図であり、図１１は、本発明の実施の形態１におけるパチンコ台の背面図である。
【０１０１】
図９には、パチンコ台５０の上下にパチンコ台取り付け装置１が取り付けられている状態が示されている。固定部２により、島枠２０にパチンコ台取り付け装置１が取り付けられている。また挟持部５は、パチンコ台５０の台枠２１を挟持している。図９においては、パチンコ台５０の上下共に、同じパチンコ台取り付け装置１が取り付けられている。
【０１０２】
固定部２と挟持部５により、パチンコ島へパチンコ台５０が取り付けられる。
【０１０３】
パチンコ台５０にはコントロールボックス６０が備えられている。コントロールボックスの詳細については後述するが、第１動力源９と第２動力源１０の動作を、パチンコ台５０の外部から行うことを可能にしている。また、コントロールボックス６０は、パチンコ台の傾斜角のずれなどを警告する警告部や、パチンコ台の取り付け状態を示す表示部なども備えている。
【０１０４】
パチンコ台５０の上に取り付けられたパチンコ台取り付け装置１は、パチンコ島に固定されている固定部２を基点にスライド機構４３の動作により、挟持部５が前後に移動する。同様に、パチンコ台５０の下側に取り付けられたパチンコ台取り付け装置１も、パチンコ島に固定されている固定部２を基点に挟持部５が前後に移動する。この挟持部５の前後移動により、挟持部５に挟持されているパチンコ台５０が前後に移動する（図９中の矢印は、パチンコ台５０の前後の動きを示している）。
【０１０５】
このようなパチンコ台５０の前後移動により、パチンコ台５０の傾斜角が調整される。
【０１０６】
例えば、上側に取り付けられたパチンコ台取り付け装置１の挟持部５がパチンコ台５０の方向（図９では右側）に動き、下側に取り付けられたパチンコ台取り付け装置１の挟持部５がパチンコ台５０と逆の方向（図９では左側）に動く場合には、パチンコ台５０は、上側が前のめりに傾く。挟持部５が、それぞれ逆の方向に動く場合には、パチンコ台５０は、下側が出っ張るように傾く。このようにして、パチンコ台５０の傾斜角が決定される。
【０１０７】
パチンコ台５０を図１０のように前から見ると、パチンコ台５０の台枠２１が、パチンコ島の島枠２０にはめ込まれている。
【０１０８】
パチンコ台５０を裏側から見ると、上下にそれぞれ一基ずつのパチンコ台取り付け装置１が取り付けられており、制御ボックス６０により、第１動力源９と第２動力源１０が動作させられる。
【０１０９】
なお、図１１では、上下に一基ずつのパチンコ台取り付け装置１が取り付けられているが、これ以外の個数が取り付けられても良い。
【０１１０】
なお、実施の形態１で説明された固定部２や挟持部５の形状は一例であり、島枠２０への固定と台枠２１の取り付けが可能である種々の形態も、本発明は含む。また、挟着力調整や角度調整についても、実施の形態１は一例であり、他の機構により実現されるものも本発明は含むものである。
【０１１１】
（変形例）
また、図１２、図１３では、変形例として、パチンコ台５０の下側には、図６で示された固定部材１１と関節７が無いパチンコ台取り付け装置１が取り付けられている。図６は、本発明の実施の形態１におけるパチンコ台取り付け装置の変形例の側面図である。
【０１１２】
図１２は、本発明の実施の形態１におけるパチンコ台の側面図であり、図１３は、本発明の実施の形態１におけるパチンコ台の背面図である。
【０１１３】
まず、固定部材１１と関節７の無い、パチンコ台取り付け装置１について説明する。
【０１１４】
図６に示されるパチンコ台取り付け装置１は、固定部材１１と関節７のない、挟持部材１２のみで構成されいる。更に、挟持部５は、一つのつめ３のみを備えている。なお、つめは図１などに示されるパチンコ台取り付け装置１と同じく、一対であっても良い。
【０１１５】
挟持部５がつめ３のみを備える場合には、挟着力調整部６の動作により、つめ３が歯１５を用いて台枠２１への抑えつけが強められたり、弱められたりする。
【０１１６】
図６に示されるパチンコ台取り付け装置１は、挟持部材１２に設けられたねじ６５による島枠２０へねじ止めなどにより、挟持部材１２が直接固定される。更に、台枠２１の上側から歯１５をかみこませて押さえつけるようにして、挟持部５は台枠２１を固定する。すなわち、パチンコ台の下側においては、固定部２と挟持部５による角度調整はなく、完全に固定される。すなわち、パチンコ台５０の下側に取り付けられたパチンコ台取り付け装置１は、島枠２０と台枠２１の固定のみの役割を担う。なお、挟着力調整に係る機構は、図３〜図５で説明された機構と同様である。
【０１１７】
一方、パチンコ台５０の上側においては、図１〜３に示される固定部材１１と挟持部材１２が関節７を介して接続されたパチンコ台取り付け装置１が用いられる。パチンコ台５０の上側に取り付けられたパチンコ台取り付け装置１は、パチンコ島へのパチンコ台５０の取り付けと共に、パチンコ台５０の傾斜角を調整する役割を担う。
【０１１８】
図１２で示されるパチンコ台５０では、パチンコ台５０の下側を支点に、パチンコ台５０の上側の前後移動により、パチンコ台５０の傾斜角が調整される。
【０１１９】
このように、パチンコ台５０の下側には、固定部材１１と関節７の無い挟持部材１２だけのパチンコ台取り付け装置１が用いられることで、パチンコ台の１台あたりにかかる部材コストが低減できる。しかも、下側が固定のみで、傾斜角の調整が上側だけであっても、実際上の問題はほとんど無い。
【０１２０】
また、図１３に示されるように、パチンコ台５０の上側に一つのパチンコ台取り付け装置１が取り付けられ、パチンコ台５０の下側に複数のパチンコ台取り付け装置１が取り付けられても良い。
【０１２１】
以上のような変形例のパチンコ台取り付け装置１により、パチンコ台５０の取り付け、およびパチンコ台５０の傾斜角の調整は可能でありつつ、コスト削減をさらに進めることができる。
【０１２２】
以上より明らかな通り、本発明のパチンコ台取り付け装置１によれば、固定部２により島枠２０に固定され、関節７を介して接続された挟持部５により台枠２１が挟持されるので、パチンコ台がパチンコ島へ取り付けられる。よって、容易にパチンコ台がパチンコ島へ取り付けられる。特に、固定部２だけがパチンコ島へ取り付けられた状態にしておき、パチンコ台の入れ替えの度に、挟持部５が台枠を挟持、開放することで、少ない手間と少ないコストでパチンコ台の入れ替えが可能である。特にパチンコ台取り付け装置１の再利用が可能であることもメリットである。
【０１２３】
更に、台枠２１を挟持する挟着力は第１動力源から得られる動力により調整される。このため、パチンコ台の取り付け強度は、電気的に動作する第１動力源の動作により、精密かつ正確に行える。
【０１２４】
また、パチンコ台の傾斜角をきめる固定部２と挟持部５の形成する角度の調整（もしくは固定部２と挟持部５との相対的な位置関係の調整）も、第２動力源から得られる動力により調整される。このため、パチンコ台の傾斜角は、電気的に動作する第２動力源の動作により、精密且つ正確に行える。
【０１２５】
更に、第１動力源９による挟着力の調整は、第１動力源９の動作量から一意に決まり、第２動力源１０による角度調整は、第２動力源の動作量から一意に決まるので、ばらつき無く調整される。
【０１２６】
また、これらの動力源の動作を制御する制御ボックス６０がパチンコ台５０の外に設置されることで、パチンコ台５０を開けることなく事後的な調整が可能である。このためコストの高い作業者を雇う必要もなく、パチンコ店の従業員により容易にパチンコ台の取り付けと傾斜角の調整が行える。
【０１２７】
パチンコ台を開ける必要がなく、部外者である作業者を店内に入れる必要が無いので、不正ＲＯＭの取り付けなどが防止でき、セキュリティが非常に高まる。
【０１２８】
なお、本発明のパチンコ台取り付け装置は、パチンコ台の取り付けコストの低減、セキュリティの向上と共に、パチンコ遊戯の公平性を確保するものであるので、角度調整においては、パチンコ台の傾斜角が一定の範囲に収まるように制限することも好適である。
【０１２９】
（実施の形態２）
次に実施の形態２について説明する。
【０１３０】
実施の形態２では、パチンコ台取り付け後の種々の工夫について図１４、図１５を用いて説明する。
【０１３１】
図１４は、本発明の実施の形態２における制御ボックス６０の斜視図である。図１５は、本発明の実施の形態２におけるパチンコ台の正面図である。
【０１３２】
制御ボックス６０は、実施の形態１で説明したように、パチンコ台取り付け装置１に含まれる動力源へ動作命令を与えたり、動作量を調整する。また、パチンコ台５０を開けることなく動作命令を与えるために、パチンコ台５０内部に取り付けられているパチンコ台取り付け装置１と電気接続されたうえで、パチンコ台５０の外部に設置される。
【０１３３】
制御ボックス６０内部には、種々のセンサーや回路が含まれており、これらが載置された制御基盤８０が備えられている。
【０１３４】
また、制御ボックス６０の外面には、表示部８４と警告部８５が設けられている。表示部８４、警告部８５は、液晶パネルやＬＥＤパネルなどで構成されている。また、警告部８５は音声による警告の通知でもよい。
【０１３５】
角度計測部８１は、電子回路やセンサー（図示せず）により構成されており、パチンコ台５０のパチンコ島に対する傾斜角を計測する。
【０１３６】
計測にあたっては、例えばセンサー（図示せず）や水平器（図示せず）からの信号を受け取って、傾斜角を計測する。あるいは、第２動力源１０の動作量（例えば、第２動力源を構成するステッピングモータの回転数や、ねじ４０の突出量）から、一定の計算式を用いて、傾斜角を計測する。
【０１３７】
計測された傾斜角は、記憶部８２に記憶される。更に、必要に応じて、測定された傾斜角（記憶部８２に記憶されている傾斜角でもよい）の値は、表示部８４に表示される。表示部８４に計測された傾斜角の値が表示されることで、使用しているパチンコ台の状態を視覚的に把握できる。パチンコ店の従業員は、水平器などの特別な冶具や、特別な技術を持たなくても、パチンコ台５０の傾斜状態を把握することができる。
【０１３８】
また、記憶部８２は、予め定められたパチンコ台５０の理想の傾斜角である理想角度を記憶しておいてもよい。この記憶された理想角度と計測された傾斜角との間に、所定以上の差分を検出した場合には、警告部８５に警告ランプが点灯したり、警告音が発せられたりして、警告が出されることも好適である。このような警告により、遊戯の公平性を損なうような傾斜角の状態になっていることを、即座にパチンコ店に知らせることができる。これにより、パチンコ店での遊戯の公平性が高まり、高い信頼を得ることができる。
【０１３９】
また、理想角度と計測された傾斜角との間に、所定値以上の差分が検出された場合には、警告とは別に／一緒に、差分が所定値未満となるように角度調整が自動で行われることも好適である。
【０１４０】
例えば、制御ボックス６０に含まれる制御部８３は、角度調整部８の調整を行う第２動力源１０への動作命令などを出力するが、所定値以上の差分を算出した場合には、第２動力源１０へ動作命令を出して自動で角度調整を行う。このとき、第２動力源１０の動作量（例えばモータの回転量）により傾斜角が一意に定まるので、計測された傾斜角と理想角度の差分から第２動力源１０の動作量が算出される。制御部８３は、算出された動作量を第２動力源１０に指示する。指示をうけた第２動力源１０は、指示に含まれる動作量だけ動作し（例えば、指示を受けた回転量だけ回転する）、関節７の第１接続部４１と第２接続部４２との相対的な位置関係を変化させて、傾斜角を調整する。この処理により、計測された傾斜角に問題がある場合には、自動で傾斜角が調整されるので、遊戯の公平性の確保がより高く図られる。
【０１４１】
また、角度計測部８１は一定時間毎に傾斜角を計測し、記憶部８２に計測した傾斜角を上書きする。制御部８３は、一定時間毎に記憶部８２に記憶されている傾斜角を読み出し、理想角度を基準に角度調整部８に動力を与える第２動力源１０に対して動作命令を出力する。すなわち、制御部８３は、一定時間毎に、パチンコ台５０の傾斜角を調整する。
【０１４２】
例えば、２４時間おきに、制御部８３がパチンコ台の傾斜角を調整するように設定されると、パチンコ店の営業時間外に必ず傾斜角が調整されることになり、毎日の営業における遊戯の公平性の確保が実現される。
【０１４３】
もちろん、２４時間おきではなく、１週間おきなど、パチンコ店の対応により適宜定められればよい。このため、制御部８３は、ＲＯＭなどを持ち、ユーザーにより設定されたプログラムを用いて、一定時間毎の自動調整を行う。
【０１４４】
このような一定時間毎の自動調整により、長期間にわたってパチンコ台５０の傾斜角が適正に維持される。このため、パチンコ台５０の入れ替え後の遊戯の公平性の確保が長期間にわたって維持されるメリットがある。
【０１４５】
また、制御部８３は、傾斜角の調整にかかわる第２動力源だけでなく、パチンコ台５０の挟持の挟着力調整にかかわる第１動力源も制御して、パチンコ台５０の取り付け強度を調整してもよい。
【０１４６】
なお、制御部８３は、制御ボックス６０の内部に備えられているが、角度調整を主に行うので、パチンコ台取り付け装置１の内部に格納されてもよい。この場合には、制御プログラムなどの改ざんが防止される。
【０１４７】
また、図１５に示されるように、制御部８３をはじめとした制御ボックス６０に含まれる機能は、リモコン９０などにより外部から遠隔操作可能でも良い。リモコン９０は、傾斜角の計測、傾斜角の記憶、理想角度の設定、理想角度と計測された傾斜角の差分計算、警告発生の制御、表示部８４での表示内容の設定、挟着力調整、角度調整などの機能を、支持することができる。
【０１４８】
リモコン９０による遠隔操作が可能となることで、例えば制御ボックス６０は、遊戯者の視界に入らない場所に設置しておき、パチンコ店の従業員だけがリモコン９０を使って、制御を行うことができるようにすることも好適である。こうすることで、遊戯者が勝手に制御ボックス６０を用いた制御を行うことなく、セキュリティ面が高まる。
【０１４９】
次に、制御部８３は、パチンコ台５０に取り付けられたセンサー１００を用いて、自動で角度を調整することも好適である。
【０１５０】
例えば、温度、湿度、気圧の少なくとも一つを計測するセンサー１００が、パチンコ台５０に設けられる。パチンコ台５０は木材、樹脂、金属などの複数の素材により形成されているので、温度、湿度、気圧などにより膨張、収縮が生じる。このような膨張、収縮により、パチンコ台５０の傾斜角が変わる場合がある。あるいはパチンコ台５０の取り付け強度に変化が生じる場合もある。
【０１５１】
このような温度、湿度、気圧などを原因とするパチンコ台の傾斜角の変化や取り付け強度の変化は、センサー１００の測定結果により予測することができる。このためセンサー１００の測定結果は記憶部８２に記憶され、制御部８３は、この測定結果を元に、必要に応じて第１動力源９、第２動力源１０を制御して挟着力や傾斜角を調整する。例えば、センサー１００の測定結果と傾斜角との関係を表す式や変換テーブルをプログラムとして制御部８３は備えており、センサー１００の測定結果を受けて（例えば一定時間毎にセンサー１００の測定結果を読み出す）制御部８３は、プログラムに従って、第２動力源１０を制御する。同様に、センサー１００の測定結果と挟着力との関係を表す式や変換テーブルをプログラムとして制御部８３は備えており、センサー１００の測定結果を受けて、制御部８３は、このプログラムに従って、第１動力源９を制御する。
【０１５２】
第１動力源９が制御されることで、パチンコ台５０の台枠２１の挟着力の強度が調整される。第２動力源１０が制御されることで、固定部２と挟持部５の形成する角度、すなわち、パチンコ台５０の傾斜角が調整される。
【０１５３】
このセンサー１００の測定結果に従った制御部８３の制御により、気温、湿度、気圧などの外的要因に対しても、自動で傾斜角などが調整され、遊戯の公平性やパチンコ台の適正が長期間にわたって維持される。当然ながら人為を介さないため、セキュリティも向上する。
【０１５４】
なお、センサー１００は、気温、湿度、気圧以外の要素を測定し、制御部８３は、これらの測定結果を利用して、第１動力源９、第２動力源１０を制御しても良い。
【０１５５】
なお、本発明のパチンコ台取り付け装置１は、パチンコ台５０の入れ替えや取り付け時の度に、新たに取り付けられても良く、予めパチンコ島に固定部２を介して取り付けられておき、パチンコ台５０の入れ替えの度に、挟持部５を介してパチンコ台５０の取り付けが行われてもよい。本発明のパチンコ台取り付け装置１は、パチンコ島へ固定される固定部２とパチンコ台を挟持する挟持部５が別部材である固定部材１１と挟持部材１２に分離できるので、製造や保守が容易であるメリットもある。
【０１５６】
また、例えば、パチンコ島には通常固定部材１１だけを取り付けておき、パチンコ台５０の入れ替えの時に、挟持部材１２と関節７を、固定部材１１に取り付けてパチンコ台５０の取り付けを行うようにすることも良い。この場合には、パチンコ台の入れ替え時には挟持部材１２だけが取り替えられるので、コストを低減しつつも、装置の新しさを保つことができる。
【０１５７】
勿論、入れ替え時の作業量も低減する。
【０１５８】
なお、本発明のパチンコ台取り付け装置は、パチンコ台のみならず、スマートボールや電子ゲームなどの取り付けにおいても適用できる。
【０１５９】
また、パチンコ台の傾斜角の調整は、パチンコ台の１台毎に行われても良く、複数台（例えばあるパチンコ島の一列全部）がまとめて調整されてもよい。後者であれば、傾斜角の調整において恣意の入る余地が少なくなり、遊戯における公平性がさらに確保される。
【０１６０】
このとき、制御ボックスは、パチンコ台毎に設けられても良く、パチンコ島の一列毎に設けられても良い。また、制御ボックス６０は、遊戯者の目に入らない場所に置かれて、集中的に制御されても良い。
【産業上の利用可能性】
【０１６１】
本発明は、例えば、パチンコなどの公衆向け遊戯台を、遊戯施設に取り付ける取り付け装置などの分野において好適に利用できる。
【図面の簡単な説明】
【０１６２】
【図１】本発明の実施の形態１におけるパチンコ台取り付け装置の斜視図
【図２】本発明の実施の形態１におけるパチンコ台取り付け装置の側面図
【図３】本発明の実施の形態１におけるパチンコ台取り付け装置の側面図
【図４】本発明の実施の形態１におけるパチンコ台取り付け装置１の側面図
【図５】本発明の実施の形態１におけるパチンコ台取り付け装置１の側面図
【図６】本発明の実施の形態１におけるパチンコ台取り付け装置の変形例の側面図
【図７】本発明の実施の形態１におけるパチンコ台取り付け装置１の側面図
【図８】本発明の実施の形態１におけるパチンコ台取り付け装置１の側面図
【図９】本発明の実施の形態１におけるパチンコ台の側面図
【図１０】本発明の実施の形態１におけるパチンコ台の正面図
【図１１】本発明の実施の形態１におけるパチンコ台の背面図
【図１２】本発明の実施の形態１におけるパチンコ台の側面図
【図１３】本発明の実施の形態１におけるパチンコ台の背面図
【図１４】本発明の実施の形態２における制御ボックス６０の斜視図
【図１５】本発明の実施の形態２におけるパチンコ台の正面図
【符号の説明】
【０１６３】
１  パチンコ台取り付け装置
２  固定部
３、４  つめ
５  挟持部
６  挟着力調整部
７  関節
８  角度調整部
９  第１動力源
１０  第２動力源
１１  固定部材
１２  挟持部材
２０  島枠
２１  台枠
５０  パチンコ台
６０  制御ボックス
８０  制御基板
８１  角度計測部
８２  記憶部
８３  制御部
８４  表示部
８５  警告部
９０  リモコン
１００  センサ
【図１】
2007259961.tif 000003
【図２】
2007259961.tif 000004
【図３】
2007259961.tif 000005
【図４】
2007259961.tif 000006
【図５】
2007259961.tif 000007
【図６】
2007259961.tif 000008
【図７】
2007259961.tif 000009
【図８】
2007259961.tif 000010
【図９】
2007259961.tif 000011
【図１０】
2007259961.tif 000012
【図１１】
2007259961.tif 000013
【図１２】
2007259961.tif 000014
【図１３】
2007259961.tif 000015
【図１４】
2007259961.tif 000016
【図１５】
2007259961.tif 000017